(57)【特許請求の範囲】
【請求項１】
複数の個人の識別情報と当該各個人の複数のプロフィール項目とを対応付けたプロフィール情報と、当該プロフィール項目の評価情報と、を記憶する記憶部と、
ユーザ端末より個人のプロフィール情報の閲覧要求がある場合に、当該プロフィール情報の閲覧要求の閲覧対象の個人の複数のプロフィール項目を前記記憶部から読み出し、当該読み出した全てのプロフィール項目から前記記憶部に記憶された評価情報の数が最も少ない評価対象のプロフィール項目を問合せ項目として抽出するプロフィール項目読出抽出部と、
前記抽出された問合せ項目の評価情報の入力を受け付ける問合せ欄を作成する問合せ欄作成部と、
前記読み出された複数のプロフィール項目と、前記作成された問合せ欄とを含むプロフィール閲覧画面情報を作成して前記プロフィール情報の閲覧要求元のユーザ端末に送信するプロフィール閲覧画面情報作成送信部と、
前記問合せ項目の評価情報を前記プロフィール情報の閲覧要求元のユーザ端末から受信して前記記憶部に記憶する問合せ項目評価情報受付部と、を備えるプロフィール情報評価支援装置。
【請求項２】
ユーザ端末より評価情報の閲覧要求がある場合に、当該評価情報の閲覧要求元の個人のプロフィール項目の評価情報を前記記憶部から読み出し、当該読み出したプロフィール項目の評価情報を含む評価情報閲覧画面情報を作成して前記評価情報の閲覧要求元のユーザ端末に送信する評価情報閲覧画面情報作成送信部を備える請求項１に記載のプロフィール情報評価支援装置。
【請求項３】
前記問合せ欄作成部は、前記プロフィール項目読出抽出部により抽出された問合せ項目に対応する予め設定された複数の評価情報から評価情報の選択入力を受け付ける問合せ欄を作成する請求項１又は２に記載のプロフィール情報評価支援装置。
【請求項４】
プロフィール項目読出抽出部が、ユーザ端末より個人のプロフィール情報の閲覧要求がある場合に、当該プロフィール情報の閲覧要求の閲覧対象の個人の複数のプロフィール項目を、複数の個人の識別情報と当該各個人の複数のプロフィール項目とを対応付けたプロフィール情報と、当該プロフィール項目の評価情報と、を記憶する記憶部から読み出し、当該読み出した全てのプロフィール項目から前記記憶部に記憶された評価情報の数が最も少ない評価対象のプロフィール項目を問合せ項目として抽出するプロフィール項目読出抽出工程と、
問合せ欄作成部が、前記抽出された問合せ項目の評価情報の入力を受け付ける問合せ欄を作成する問合せ欄作成工程と、
プロフィール閲覧画面情報作成送信部が、前記読み出された複数のプロフィール項目と、前記作成された問合せ欄とを含むプロフィール閲覧画面情報を作成して前記プロフィール情報の閲覧要求元のユーザ端末に送信するプロフィール閲覧画面情報作成送信工程と、
問合せ項目評価情報受付部が、前記問合せ項目の評価情報を前記プロフィール情報の閲覧要求元のユーザ端末から受信して前記記憶部に記憶する問合せ項目評価情報受付工程と、を含むプロフィール情報評価支援方法。
【請求項５】
コンピュータを、
複数の個人の識別情報と当該各個人の複数のプロフィール項目とを対応付けたプロフィール情報と、当該プロフィール項目の評価情報と、を記憶する記憶部、
ユーザ端末より個人のプロフィール情報の閲覧要求がある場合に、当該プロフィール情報の閲覧要求の閲覧対象の個人の複数のプロフィール項目を前記記憶部から読み出し、当該読み出した全てのプロフィール項目から前記記憶部に記憶された評価情報の数が最も少ない評価対象のプロフィール項目を問合せ項目として抽出するプロフィール項目読出抽出部、
前記抽出された問合せ項目の評価情報の入力を受け付ける問合せ欄を作成する問合せ欄作成部、
前記読み出された複数のプロフィール項目と、前記作成された問合せ欄とを含むプロフィール閲覧画面情報を作成して前記プロフィール情報の閲覧要求元のユーザ端末に送信するプロフィール閲覧画面情報作成送信部、
前記問合せ項目の評価情報を前記プロフィール情報の閲覧要求元のユーザ端末から受信して前記記憶部に記憶する問合せ項目評価情報受付部、
として機能させるためのプログラム。
【発明の詳細な説明】
【技術分野】
【０００１】
本発明は、プロフィール情報評価支援装置、プロフィール情報評価支援方法及びプログラムに関する。
【背景技術】
【０００２】
近年、Ｗｅｂサイトを介して、結婚を希望する複数の会員のプロフィール情報を登録し、各会員に、お相手の候補として別の会員のプロフィール情報を提供する結婚支援サービスが知られている。プロフィール情報は、プロフィールの概略、結婚支援サービスの利用動機等の複数のプロフィール項目からなる。このサービスでは、会員が相手に希望するプロフィール情報の検索条件をユーザ端末に入力することで、当該ユーザ端末に接続されたサーバ装置が、この検索条件に合った会員のプロフィール情報を登録情報から検索して、当該ユーザ端末に送信することにより提供していた。
【０００３】
また、原作者が文書作成装置により作成した文書を、少なくとも１人の添削者が別の文書作成装置により添削する文書添削支援方式が知られている（例えば、特許文献１参照）。より具体的には、原作者が文書作成装置により作成した文書を、通信網又は外部記憶手段を介して添削者の文書作成装置に転送して添削し、添削箇所毎の添削情報として保存していた。各添削者は、原文全てを添削していた。
【先行技術文献】
【特許文献】
【０００４】
【特許文献１】特開平５−２１０６８１号公報
【発明の概要】
【発明が解決しようとする課題】
【０００５】
上記結婚支援システムにおいて、各会員のプロフィール情報は、当該各会員自身が作成する。このプロフィール情報は、他の会員によりよくアピールするために、別の人物に評価してもらうのが好ましい。
【０００６】
しかし、上記結婚支援システムに従来の文書添削支援方式を適用しても、上記別の人物としての評価者が所定の会員のプロフィール情報の全てのプロフィール項目の評価情報を入力することになり、評価者の評価作業の負担が大きかった。
【０００７】
本発明の課題は、プロフィール情報の評価において、評価者の負担を低減することである。
【課題を解決するための手段】
【０００８】
上記課題を解決するために、本発明のプロフィール情報評価支援装置は、
複数の個人の識別情報と当該各個人の複数のプロフィール項目とを対応付けたプロフィール情報と、当該プロフィール項目の評価情報と、を記憶する記憶部と、
ユーザ端末より個人のプロフィール情報の閲覧要求がある場合に、当該プロフィール情報の閲覧要求の閲覧対象の個人の複数のプロフィール項目を前記記憶部から読み出し、当該読み出した全てのプロフィール項目から前記記憶部に記憶された評価情報の数が最も少ない評価対象のプロフィール項目を問合せ項目として抽出するプロフィール項目読出抽出部と、
前記抽出された問合せ項目の評価情報の入力を受け付ける問合せ欄を作成する問合せ欄作成部と、
前記読み出された複数のプロフィール項目と、前記作成された問合せ欄とを含むプロフィール閲覧画面情報を作成して前記プロフィール情報の閲覧要求元のユーザ端末に送信するプロフィール閲覧画面情報作成送信部と、
前記問合せ項目の評価情報を前記プロフィール情報の閲覧要求元のユーザ端末から受信して前記記憶部に記憶する問合せ項目評価情報受付部と、を備える。
【０００９】
また、本発明のプロフィール情報評価支援装置において、
ユーザ端末より評価情報の閲覧要求がある場合に、当該評価情報の閲覧要求元の個人のプロフィール項目の評価情報を前記記憶部から読み出し、当該読み出したプロフィール項目の評価情報を含む評価情報閲覧画面情報を作成して前記評価情報の閲覧要求元のユーザ端末に送信する評価情報閲覧画面情報作成送信部を備えることが好ましい。
【００１１】
また、本発明のプロフィール情報評価支援装置において、
前記問合せ欄作成部は、前記プロフィール項目読出抽出部により抽出された問合せ項目に対応する予め設定された複数の評価情報から評価情報の選択入力を受け付ける問合せ欄を作成することが好ましい。
【００１２】
また、本発明のプロフィール情報評価支援方法は、
プロフィール項目読出抽出部が、ユーザ端末より個人のプロフィール情報の閲覧要求がある場合に、当該プロフィール情報の閲覧要求の閲覧対象の個人の複数のプロフィール項目を、複数の個人の識別情報と当該各個人の複数のプロフィール項目とを対応付けたプロフィール情報と、当該プロフィール項目の評価情報と、を記憶する記憶部から読み出し、当該読み出した全てのプロフィール項目から前記記憶部に記憶された評価情報の数が最も少ない評価対象のプロフィール項目を問合せ項目として抽出するプロフィール項目読出抽出工程と、
問合せ欄作成部が、前記抽出された問合せ項目の評価情報の入力を受け付ける問合せ欄を作成する問合せ欄作成工程と、
プロフィール閲覧画面情報作成送信部が、前記読み出された複数のプロフィール項目と、前記作成された問合せ欄とを含むプロフィール閲覧画面情報を作成して前記プロフィール情報の閲覧要求元のユーザ端末に送信するプロフィール閲覧画面情報作成送信工程と、
問合せ項目評価情報受付部が、前記問合せ項目の評価情報を前記プロフィール情報の閲覧要求元のユーザ端末から受信して前記記憶部に記憶する問合せ項目評価情報受付工程と、を含む。
【００１３】
また、本発明のプログラムは、
コンピュータを、
複数の個人の識別情報と当該各個人の複数のプロフィール項目とを対応付けたプロフィール情報と、当該プロフィール項目の評価情報と、を記憶する記憶部、
ユーザ端末より個人のプロフィール情報の閲覧要求がある場合に、当該プロフィール情報の閲覧要求の閲覧対象の個人の複数のプロフィール項目を前記記憶部から読み出し、当該読み出した全てのプロフィール項目から前記記憶部に記憶された評価情報の数が最も少ない評価対象のプロフィール項目を問合せ項目として抽出するプロフィール項目読出抽出部、
前記抽出された問合せ項目の評価情報の入力を受け付ける問合せ欄を作成する問合せ欄作成部、
前記読み出された複数のプロフィール項目と、前記作成された問合せ欄とを含むプロフィール閲覧画面情報を作成して前記プロフィール情報の閲覧要求元のユーザ端末に送信するプロフィール閲覧画面情報作成送信部、
前記問合せ項目の評価情報を前記プロフィール情報の閲覧要求元のユーザ端末から受信して前記記憶部に記憶する問合せ項目評価情報受付部、
として機能させる。
【発明の効果】
【００１４】
本発明によれば、プロフィール情報の評価において、評価者の負担を低減できる。また、評価情報の質を向上できる。
【図面の簡単な説明】
【００１５】
【図１】本発明の実施の形態のプロフィール情報評価支援システムの構成を示すブロック図である。
【図２】プロフィール情報の構成を示す図である。
【図３】問合せ項目評価情報の構成を示す図である。
【図４】プロフィール情報登録処理を示すフローチャートである。
【図５】プロフィール情報提供処理を示すフローチャートである。
【図６】プロフィール閲覧画面を示す図である。
【図７】評価情報提供処理を示すフローチャートである。
【図８】評価情報閲覧画面を示す図である。
【発明を実施するための形態】
【００１６】
以下、添付図面を参照して本発明に係る実施の形態を詳細に説明する。なお、本発明は、図示例に限定されるものではない。
【００１７】
先ず、図１を参照して、本実施の形態の装置構成を説明する。図１に、本実施の形態のプロフィール情報評価支援システム１の構成を示す。
【００１８】
図１に示すように、プロフィール情報評価支援システム１は、プロフィール情報評価支援装置１００と、ユーザ端末２０１〜２０ｎ（ｎ：２以上の任意の整数）と、を備える。プロフィール情報評価支援装置１００と、ユーザ端末２０１〜２０ｎとは、インターネット等の通信ネットワークを介して接続されている。
【００１９】
プロフィール情報評価支援システム１は、結婚（お見合い）支援サービスを提供する情報処理システムである。プロフィール情報評価支援システム１は、ユーザ端末２０１〜２０ｎの各ユーザのプロフィール情報を登録し、その登録されたプロフィール情報の提供及び評価を行い、評価されたプロフィール情報の評価情報をユーザ端末に提供する。
【００２０】
プロフィール情報評価支援装置１００は、クライアント端末としてのユーザ端末２０１〜２０ｎに結婚支援サービスを提供するサーバ装置である。プロフィール情報評価支援装置１００は、ユーザ端末２０１〜２０ｎの各ユーザのプロフィール情報の登録、プロフィール情報の提供及び評価、プロフィール情報の評価情報の提供を行う。
【００２１】
ユーザ端末２０１〜２０ｎは、ユーザが使用するＰＣ、携帯端末（携帯電話機、ＰＤＡ（Personal Digital Assistant）等）等の情報処理装置であり、プロフィール情報評価支援装置１００から、他ユーザのプロフィール情報及び自ユーザのプロフィール情報の評価情報の提供を受けるクライアント端末である。ユーザ端末２０１〜２０ｎは、それぞれ異なる１人のユーザが使用するものとして説明する。しかし、これに限定されるものではなく、１台のユーザ端末を複数のユーザが共用し、プロフィール情報評価支援装置１００へのログインにより各ユーザが識別可能な構成としてもよい。また、ユーザ端末２０１〜２０ｎのユーザは、結婚支援サービスの個人会員であり、ユーザ端末２０１〜２０ｎからプロフィール情報評価支援装置１００へログインすることで各種サービスの提供を受ける。
【００２２】
ユーザ端末２０１〜２０ｎは、ユーザの操作入力を受け付ける操作部、画面表示を行う表示部、プロフィール情報評価支援装置１００と通信する通信部、各種制御を行う制御部（いずれも図示略）を有する。
【００２３】
プロフィール情報評価支援装置１００は、プロフィール情報入力受付部１０１と、プロフィール閲覧要求受付部１０２と、プロフィール項目読出抽出部１０３と、問合せ欄作成部１０４と、プロフィール閲覧画面情報作成送信部１０５と、問合せ項目評価情報受付部１０６と、評価情報閲覧要求受付部１０７と、評価情報閲覧画面情報作成送信部１０８と、記憶部１０と、を備える。記憶部１０は、ユーザ情報ＤＢ（データベース）１０９と、問合せ項目評価情報記憶部１１０と、を備える。
【００２４】
プロフィール情報入力受付部１０１、プロフィール閲覧要求受付部１０２、プロフィール閲覧画面情報作成送信部１０５、問合せ項目評価情報受付部１０６、評価情報閲覧要求受付部１０７、評価情報閲覧画面情報作成送信部１０８は、それぞれ、制御部及び通信部により構成される。制御部は、ＣＰＵ（Central Processing Unit）、ＲＡＭ（Random Access Memory）、プログラム記憶部（ＨＤＤ（Hard Disk Drive））を有し、プログラム記憶部から読み出されて適宜ＲＡＭに展開された各種プログラムと、ＣＰＵとの協働で、各種処理を実行する。通信部は、ネットワークカード等により構成され、通信ネットワークを介してユーザ端末２０１〜２０ｎと通信を行う。
【００２５】
プロフィール項目読出抽出部１０３、問合せ欄作成部１０４は、それぞれ、制御部により構成される。ユーザ情報ＤＢ１０９、問合せ項目評価情報記憶部１１０は、それぞれ、ＨＤＤ等の記憶部により構成される。
【００２６】
プロフィール情報入力受付部１０１は、ユーザ端末２０１〜２０ｎのログインユーザにより入力されたプロフィール情報をユーザ端末２０１〜２０ｎから受信してユーザ情報ＤＢ１０９に記憶して登録する。各ユーザのプロフィール情報は、後述するように複数のプロフィール項目を有する。プロフィール閲覧要求受付部１０２は、ユーザ端末２０１〜２０ｎからログインユーザにより指定等されたユーザのプロフィール情報を閲覧するためのプロフィール閲覧要求をユーザ端末２０１〜２０ｎから受信する。
【００２７】
プロフィール項目読出抽出部１０３は、プロフィール閲覧要求受付部１０２により受信されたプロフィール閲覧要求の要求元のユーザ端末を使用するログインユーザのプロフィール情報をユーザ情報ＤＢ１０９から読み出し、読み出したプロフィール情報のうちから評価対象の１つのプロフィール項目を問合せ項目として抽出する。
【００２８】
問合せ欄作成部１０４は、プロフィール項目読出抽出部１０３により抽出された問い合せ項目の評価情報の入力を受け付ける問合せ欄を作成する。
【００２９】
プロフィール閲覧画面情報作成送信部１０５は、プロフィール項目読出抽出部１０３により読み出されたプロフィール情報と、問合せ欄作成部１０４により作成された問合せ欄と、を含むプロフィール閲覧画面情報（Ｗｅｂページ情報）を作成し、プロフィール閲覧要求元のユーザ端末に送信する。
【００３０】
問合せ項目評価情報受付部１０６は、プロフィール閲覧画面情報作成送信部１０５によりプロフィール閲覧要求元のユーザ端末に送信されたプロフィール閲覧画面情報に対応する問合せ項目の評価情報を当該プロフィール閲覧要求元のユーザ端末から受信して問合せ項目評価情報記憶部１１０に記憶する。
【００３１】
評価情報閲覧要求受付部１０７は、ユーザ端末２０１〜２０ｎのログインユーザのプロフィール情報の評価情報を閲覧するための評価情報閲覧要求をユーザ端末２０１〜２０ｎから受信する。なお、図１では、ユーザ端末２０１〜２０ｎのうち、ユーザ端末２０１を評価情報閲覧要求元のユーザ端末として代表的に記載している。
【００３２】
評価情報閲覧画面情報作成送信部１０８は、評価情報閲覧要求受付部１０７により受信された評価情報閲覧要求の要求元のユーザ端末を使用するユーザの全プロフィール項目の評価情報を問合せ項目評価情報記憶部１１０から読み出し、読み出した評価情報を含む評価情報閲覧画面情報（Ｗｅｂページ情報）を作成して評価情報閲覧要求元のユーザ端末に送信する。
【００３３】
ユーザ情報ＤＢ１０９は、後述するプロフィール情報３００を読み出し及び書き込み可能に記憶する。問合せ項目評価情報記憶部１１０は、後述する問合せ項目評価情報４００を読み出し及び書き込み可能に記憶する。
【００３４】
次に、図２及び図３を参照して、ユーザ情報ＤＢ１０９及び問合せ項目評価情報記憶部１１０に記憶される情報を説明する。図２に、プロフィール情報３００の構成を示す。図３に、問合せ項目評価情報４００の構成を示す。
【００３５】
図２に示すように、ユーザ情報ＤＢ１０９に記憶されるプロフィール情報３００は、プロフィール項目として、ユーザＩＤ３０１、氏名３０２、愛称３０３、年齢３０４、概要３０５、利用動機３０６、相手の希望３０７、性格３０８等を有する。
【００３６】
ユーザＩＤ３０１は、ユーザ端末２０１〜２０ｎの各ユーザの識別情報である。氏名３０２は、ユーザＩＤ３０１のユーザの氏名である。愛称３０３は、ユーザＩＤ３０１のユーザの愛称である。プロフィール閲覧画面には、通常、ユーザの氏名３０２でなく愛称３０３が表示されるものとする。
【００３７】
概要３０５は、ユーザＩＤ３０１のユーザのプロフィールの概要である。利用動機３０６は、ユーザＩＤ３０１のユーザの結婚支援サービスの利用動機である。相手の希望３０７は、ユーザＩＤ３０１のユーザの結婚相手の希望である。性格３０８は、ユーザＩＤ３０１のユーザの性格である。概要３０５、利用動機３０６、相手の希望３０７、性格３０８は、各ユーザ自身が作成する情報である。
【００３８】
また、ユーザ情報ＤＢ１０９は、予め登録されたログイン情報（図示略）を記憶している。このログイン情報は、結婚支援サービスの登録ユーザとしてのユーザ端末２０１〜２０ｎの各ユーザのユーザＩＤと、当該ユーザＩＤに対応付けられたログイン用のパスワードと、を有する。
【００３９】
図３に示すように、問合せ項目評価情報記憶部１１０に記憶される問合せ項目評価情報４００は、ユーザＩＤ４０１と、問合せ項目（評価対象のプロフィール項目）に対応する評価情報としての、概要４０２、利用動機４０３、相手の希望４０４、性格４０５等を有する。
【００４０】
ユーザＩＤ４０１は、ユーザ端末２０１〜２０ｎの各ユーザの識別情報である。概要４０２は、ユーザＩＤ４０１の概要に対する他ユーザの評価情報である。利用動機４０３は、ユーザＩＤ４０１の利用動機に対する他ユーザの評価情報である。相手の希望４０４は、ユーザＩＤ４０１の相手の希望に対する他ユーザの評価情報である。性格４０５は、ユーザＩＤ４０１の性格に対する他ユーザの評価情報である。
【００４１】
問合せ項目評価情報４００では、ユーザＩＤ、氏名、愛称、年齢等のプロフィール項目が評価対象でないものとして入っていない。しかし、例えば、愛称（のつけ方）、顔写真（の撮り方）等のプロフィール項目を、評価対象のプロフィール項目としてもよい。
【００４２】
次に、図４〜図８を参照して、プロフィール情報評価支援システム１の動作を説明する。図４に、プロフィール情報登録処理を示す。図５に、プロフィール情報提供処理を示す。図６に、プロフィール閲覧画面５００を示す。図７に、評価情報提供処理を示す。図８に、評価情報閲覧画面６００を示す。
【００４３】
先ず、図４を参照して、プロフィール情報評価支援装置１００で実行されるプロフィール情報登録処理を説明する。プロフィール情報登録処理は、プロフィール情報評価支援装置１００が、ユーザ端末２０１〜２０ｎで操作入力されたプロフィール情報を登録する処理である。プロフィール情報評価支援装置１００において、例えば、ユーザ端末２０１〜２０ｎのうちの１台から、そのユーザ端末で操作入力されたプロフィール情報登録処理の実行要求を受信したことをトリガとして、プロフィール情報登録処理が実行される。
【００４４】
図４に示すように、プロフィール情報入力受付部１０１は、プロフィール情報登録処理の実行要求元のユーザ端末から、そのユーザ端末で操作入力されたログイン情報（ユーザＩＤ及びパスワード）を受信する（ステップＳ１１）。そして、プロフィール情報入力受付部１０１は、ステップＳ１１で受信したログイン情報が、ユーザ情報ＤＢ１０９に記憶されているログイン情報のユーザＩＤ及びパスワードにあるか否かにより、ログイン情報送信元のユーザ端末のログイン認証が成功したか否かを判別する（ステップＳ１２）。
【００４５】
ログイン認証が成功していない場合（ステップＳ１２；ＮＯ）、ステップＳ１１に移行される。ログイン認証が成功した場合（ステップＳ１２；ＹＥＳ）、プロフィール情報入力受付部１０１により、ログイン認証成功の旨がログイン成功したユーザ端末（ログイン端末とする）に送信される。ログイン端末は、操作部を介して、ユーザからのプロフィール情報の操作入力を受け付け、入力されたプロフィール情報をプロフィール情報評価支援装置１００に送信する。入力されたプロフィール情報は、氏名、愛称、年齢、概要、利用動機、相手の希望、性格等のプロフィール項目を含む。そして、プロフィール情報入力受付部１０１は、プロフィール情報をログイン端末から受信する（ステップＳ１３）。そして、プロフィール情報入力受付部１０１は、ステップＳ１３で受信されたプロフィール情報をユーザ情報ＤＢ１０９に記憶されているプロフィール情報３００のログイン端末のユーザＩＤ３０１のレコードに記憶し（ステップＳ１４）、プロフィール情報登録処理を終了する。
【００４６】
次いで、図５及び図６を参照して、プロフィール情報評価支援装置１００で実行されるプロフィール情報提供処理を説明する。プロフィール情報提供処理は、プロフィール情報評価支援装置１００が、ユーザ端末２０１〜２０ｎからの閲覧要求に対応してユーザのプロフィール情報を提供するとともに、そのプロフィール情報のうちの１つのプロフィール項目の評価情報を閲覧要求元のユーザ端末に問い合わせる処理である。プロフィール情報評価支援装置１００において、例えば、ユーザ端末２０１〜２０ｎのうちの１台から、そのユーザ端末で操作入力されたプロフィール情報提供処理の実行要求を受信したことをトリガとして、プロフィール情報提供処理が実行される。
【００４７】
図５に示すように、プロフィール閲覧要求受付部１０２は、プロフィール情報提供処理の実行要求元のユーザ端末から、そのユーザ端末で操作入力されたログイン情報（ユーザＩＤ及びパスワード）を受信する（ステップＳ２１）。そして、プロフィール閲覧要求受付部１０２は、ステップＳ２１で受信したログイン情報が、ユーザ情報ＤＢ１０９に記憶されているログイン情報のユーザＩＤ及びパスワードにあるか否かにより、ログイン情報送信元のユーザ端末のログイン認証が成功したか否かを判別する（ステップＳ２２）。
【００４８】
ログイン認証が成功していない場合（ステップＳ２２；ＮＯ）、ステップＳ２１に移行される。ログイン認証が成功した場合（ステップＳ２２；ＹＥＳ）、プロフィール閲覧要求受付部１０２により、ログイン認証成功の旨がログイン成功したユーザ端末（ログイン端末とする）に送信される。そして、ログイン端末は、操作部を介して、ユーザからのプロフィール情報の閲覧要求の操作入力を受け付け、当該入力に応じたプロフィール閲覧要求をプロフィール情報評価支援装置１００に送信する。プロフィール閲覧要求は、プロフィール情報の閲覧対象のユーザを指定するユーザＩＤや、プロフィール情報の閲覧対象のユーザを検索するための検索条件（例えば、プロフィール項目の年齢の上限等）、閲覧対象のプロフィール項目等、プロフィール情報閲覧対象のユーザ及びそのプロフィール項目を特定するための情報を含む。
【００４９】
そして、プロフィール閲覧要求受付部１０２は、プロフィール情報閲覧要求をログイン端末から受信する（ステップＳ２３）。そして、プロフィール項目読出抽出部１０３は、ステップＳ２３で受信されたプロフィール閲覧要求に応じたユーザＩＤのプロフィール情報のプロフィール項目をユーザ情報ＤＢ１０９から読み出し、読み出したプロフィール項目のうちの評価対象の１つを問合せ項目として抽出する（ステップＳ２４）。ステップＳ２４の問合せ項目の抽出は、読み出したプロフィール項目のうちの評価対象の１つを問合せ項目としてランダムに抽出することにより行われる。
【００５０】
そして、問合せ欄作成部１０４は、ステップＳ２４で抽出された問合せ項目のプロフィール閲覧画面における評価情報の問合せ欄を作成する（ステップＳ２５）。この問合せ欄は、例えば、問合せ項目の評価情報の入力を促すメッセージと、評価情報の入力を受け付ける入力欄と、を含む。
【００５１】
そして、プロフィール閲覧画面情報作成送信部１０５は、ステップＳ２４で読み出されたプロフィール情報（プロフィール項目）とステップＳ２５で作成された問合せ欄とを含むプロフィール閲覧画面情報（Ｗｅｂパージ情報）を作成する（ステップＳ２６）。そして、プロフィール閲覧画面情報作成送信部１０５は、ステップＳ２６で作成したプロフィール閲覧画面情報をプロフィール閲覧要求元のユーザ端末に送信する（ステップＳ２７）。
【００５２】
ステップＳ２７に対応して、プロフィール閲覧要求元のユーザ端末は、プロフィール情報評価支援装置１００からプロフィール閲覧画面情報を受信し、このプロフィール閲覧画面情報に応じてプロフィール閲覧画面を表示部に表示する。プロフィール閲覧画面には、プロフィール情報と問合せ欄とを含む。プロフィール閲覧要求元のユーザ端末は、操作部を介して、ユーザからの問合せ欄に対する問合せ項目の評価情報又は評価入力を拒否する旨の評価拒否情報の操作入力を受け付け、この問合せ項目の評価情報又は評価拒否情報をプロフィール情報評価支援装置１００に送信する。問合せ項目の評価情報の操作入力は、文章の直接入力により行われるものとする。
【００５３】
そして、問合せ項目評価情報受付部１０６は、問合せ項目の評価情報をログイン端末から受信したか否かを判別する（ステップＳ２８）。問合せ項目の評価情報を受信した場合（ステップＳ２８；ＹＥＳ）、問合せ項目評価情報受付部１０６は、受信した問合せ項目の評価情報を、問合せ項目評価情報記憶部１１０内の問合せ項目評価情報４００のログイン端末に対応するユーザＩＤ４０１のレコードに追加して記憶し（ステップＳ２９）、プロフィール情報提供処理を終了する。
【００５４】
問合せ項目の評価情報を受信していない場合（ステップＳ２８；ＮＯ）、問合せ項目評価情報受付部１０６は、問合せ項目の評価拒否情報をログイン端末から受信したか否かを判別する（ステップＳ３０）。問合せ項目の評価拒否情報を受信していない場合（ステップＳ３０；ＮＯ）、ステップＳ２８に移行される。問合せ項目の評価拒否情報を受信した場合（ステップＳ３０；ＹＥＳ）、プロフィール情報提供処理が終了する。
【００５５】
ここで、図６を参照して、プロフィール閲覧要求元のユーザ端末（ログイン端末）に表示されるプロフィール閲覧画面の一例としてのプロフィール閲覧画面５００を説明する。
【００５６】
ユーザＩＤが１００００１であるユーザがユーザ端末２０１を使用し、ユーザＩＤが１００００２であるユーザがユーザ端末２０２を使用するものとする。そして、プロフィール閲覧要求元のユーザ端末がユーザ端末２０２であり、プロフィール閲覧対象のユーザがユーザ端末２０１のユーザである場合を考える。
【００５７】
プロフィール閲覧画面５００は、ユーザＩＤが１００００１のユーザのプロフィール画面である。プロフィール閲覧画面５００は、顔写真５０１と、プロフィール項目５０２と、問合せ欄５０３と、を有する。顔写真５０１は、ユーザＩＤが１００００１のユーザの顔写真である。この顔写真データは、プロフィール情報３００のプロフィール項目の一つとしてユーザ情報ＤＢ１０９に記憶されているものとする。
【００５８】
プロフィール項目５０２は、ユーザＩＤが１００００１のユーザの所定項目を除く全てのプロフィール項目の項目名及び内容を含む。具体的には、プロフィール項目５０２は、プロフィール情報３００の氏名３０２、愛称３０３及び年齢３０４のプロフィール項目を除く、概要３０５、利用動機３０６、相手の希望３０７、性格３０８等のプロフィール項目を含む。愛称３０３は、プロフィール閲覧画面５００のタイトルに含まれている。所定項目としての氏名３０２及び年齢３０４は、プロフィール情報の被閲覧者（ユーザＩＤが１００００１のユーザ）と、閲覧者（ユーザ端末２０２のユーザ）と、が親密な関係になったと判断される時点で、プロフィール項目５０２に含まれるものとする。
【００５９】
問合せ欄５０３は、「問合せ項目（利用動機）」＋“の記載はどうでしたか？”のメッセージと、問合せ項目（利用動機）の評価情報の入力欄とを含む。ユーザ端末２０２のユーザは、プロフィール項目５０２及び問合せ欄５０３のメッセージを参照して、操作部（図示略）を介して、問合せ項目の評価情報を問合せ欄５０３の入力欄に入力する。
【００６０】
次いで、図７及び図８を参照して、プロフィール情報評価支援装置１００で実行される評価情報提供処理を説明する。評価情報提供処理は、プロフィール情報評価支援装置１００が、ユーザ端末２０１〜２０ｎからのプロフィール項目の評価情報閲覧要求に応じて、要求元のユーザのプロフィール項目の評価情報を提供する処理である。プロフィール情報評価支援装置１００において、例えば、ユーザ端末２０１〜２０ｎのうちの１台から、そのユーザ端末で操作入力された評価情報提供処理の実行要求を受信したことをトリガとして、評価情報提供処理が実行される。
【００６１】
図７に示すように、評価情報閲覧要求受付部１０７は、評価情報提供処理の実行要求元のユーザ端末から、そのユーザ端末で操作入力されたログイン情報（ユーザＩＤ及びパスワード）を受信する（ステップＳ４１）。そして、評価情報閲覧要求受付部１０７は、ステップＳ４１で受信したログイン情報が、ユーザ情報ＤＢ１０９に記憶されているログイン情報のユーザＩＤ及びパスワードにあるか否かにより、ログイン情報送信元のユーザ端末のログイン認証が成功したか否かを判別する（ステップＳ４２）。
【００６２】
ログイン認証が成功していない場合（ステップＳ４２；ＮＯ）、ステップＳ４１に移行される。ログイン認証が成功した場合（ステップＳ４２；ＹＥＳ）、ログイン認証成功の旨がログイン成功したユーザ端末（ログイン端末とする）に送信される。そして、ログイン端末は、操作部を介して、ユーザから評価情報閲覧要求の操作入力を受け付け、入力された評価情報閲覧要求をプロフィール情報評価支援装置１００に送信する。
【００６３】
そして、評価情報閲覧要求受付部１０７は、評価情報閲覧要求をログイン端末から受信する（ステップＳ４３）。そして、評価情報閲覧画面情報作成送信部１０８は、ステップＳ４３で受信した評価情報閲覧要求に応じた閲覧要求元のユーザＩＤ４０１の全てのプロフィール項目の問合せ項目評価情報４００を問合せ項目評価情報記憶部１１０から読み出し、読み出したプロフィール項目の評価情報を含む評価情報閲覧画面情報（Ｗｅｂページ情報）を作成する（ステップＳ４４）。なお、ステップＳ４４では、閲覧要求元のユーザＩＤ４０１の全てのプロフィール項目の問合せ項目評価情報４００のうち、閲覧要求元のユーザ端末で指定されたプロフィール項目等の問合せ項目評価情報４００が読み出されることとしてもよい。
【００６４】
そして、評価情報閲覧画面情報作成送信部１０８は、ステップＳ４４で作成した評価情報閲覧画面情報をログイン端末に送信し（ステップＳ４５）、評価情報提供処理を終了する。ログイン端末では、評価情報閲覧画面情報を受信し、評価情報閲覧画面情報に応じた評価情報閲覧画面を表示部に表示する。ログイン端末のユーザは、表示された評価情報閲覧画面を閲覧する。
【００６５】
ここで、図８を参照して、評価情報閲覧要求元のユーザ端末（ログイン端末）に表示される評価情報閲覧画面の一例としての評価情報閲覧画面６００を説明する。
【００６６】
ユーザＩＤが１００００１であるユーザがユーザ端末２０１を使用するものとする。そして、評価情報閲覧要求元のユーザ端末がユーザ端末２０１である場合を考える。
【００６７】
評価情報閲覧画面６００は、ユーザＩＤが１００００１のユーザのプロフィール項目のプロフィール画面である。評価情報閲覧画面６００は、顔写真６０１と、評価情報６０２と、を有する。顔写真６０１は、顔写真５０１と同様に、ユーザＩＤが１００００１のユーザの顔写真である。
【００６８】
評価情報６０２は、ユーザＩＤが１００００１の全てのプロフィール項目の項目名及び評価内容を含む。具体的には、評価情報６０２には、問合せ項目評価情報４００の概要４０２、利用動機４０３、相手の希望４０４、性格４０５等の評価内容を含む。愛称は、評価情報閲覧画面６００のタイトルに含まれている。
【００６９】
以上、本実施の形態によれば、プロフィール情報評価支援装置１００は、ユーザ端末２０１〜２０ｎからユーザのプロフィール情報の閲覧要求がある場合に、当該プロフィール情報の閲覧要求の閲覧対象のユーザの複数のプロフィール項目をユーザ情報ＤＢ１０９から読み出し、当該読み出した全てのプロフィール項目から評価対象の１つのプロフィール項目を問合せ項目として抽出する。そして、プロフィール情報評価支援装置１００は、前記抽出された問合せ項目の評価情報の入力を受け付ける問合せ欄を作成し、前記読み出された複数のプロフィール項目と、前記作成された問合せ欄とを含むプロフィール閲覧画面情報を作成して前記プロフィール情報の閲覧要求元のユーザ端末に送信する。そして、プロフィール情報評価支援装置１００は、前記問合せ項目の評価情報を前記プロフィール情報の閲覧要求元のユーザ端末から受信して問合せ項目評価情報記憶部１１０に記憶する。
【００７０】
このため、プロフィール情報の評価において、プロフィール情報閲覧毎に評価者たるユーザ端末２０１〜２０ｎのユーザそれぞれが評価情報を入力するプロフィール項目の数が１つとなり、評価者たるユーザの評価の負担を低減できる。また、評価者たるユーザそれぞれが１つのプロフィール項目の評価に集中できるので、評価情報の質を向上できる。また、ステップＳ３０に示すように、評価者たるユーザが問合せ項目の評価を拒否できる構成でも、評価者たるユーザそれぞれが１つのプロフィール項目の評価を行えばよく、問合せ項目の評価の拒否を低減でき、評価情報を多く取得できる。
【００７１】
また、プロフィール情報評価支援装置１００は、ユーザ端末２０１〜２０ｎからユーザの評価情報の閲覧要求がある場合に、当該評価情報の閲覧要求元のユーザのプロフィール項目の評価情報を問合せ項目評価情報記憶部１１０から読み出し、当該読み出したプロフィール項目の評価情報を含む評価情報閲覧画面情報を作成して評価情報の閲覧要求元のユーザ端末に送信する。このため、評価情報の閲覧要求元のユーザ端末で評価情報閲覧画面を表示できるので、評価者たるユーザが容易に評価情報を目視により確認できる。
【００７２】
また、プロフィール情報評価支援装置１００は、読み出した閲覧対象のユーザの複数のプロフィール項目から評価対象の１つのプロフィール項目をランダムに抽出する。このため、各プロフィール項目の評価情報の数をおよそ同じにすることができる。
【００７３】
以上の説明では、本発明に係るプログラムのコンピュータ読み取り可能な媒体としてＨＤＤを使用した例を開示したが、この例に限定されない。
その他のコンピュータ読み取り可能な媒体として、ＲＯＭ（Read Only Memory）、フラッシュメモリ等の不揮発性メモリ、ＣＤ−ＲＯＭ等の可搬型記録媒体を適用することが可能である。
また、本発明に係るプログラムのデータを通信回線を介して提供する媒体として、キャリアウエーブ（搬送波）も本発明に適用される。
【００７４】
なお、上記実施の形態における記述は、本発明に係るプロフィール情報評価支援装置、プロフィール情報評価支援方法及びプログラムの一例であり、これに限定されるものではない。
【００７５】
上記実施の形態では、プロフィール情報評価支援システム１が結婚支援サービスにおけるプロフィール情報の提供及び評価を行う構成としたが、これに限定されるものではない。例えば、交際支援サービス等、他のサービスにおいてプロフィール情報の提供及び評価を行う構成としてもよい。
【００７６】
また、上記実施の形態では、プロフィール項目読出抽出部１０３が、閲覧対象のユーザの複数のプロフィール項目から、評価対象の１つのプロフィール項目を抽出する構成としたが、これに限定されるものではない。例えば、閲覧対象のユーザの全てのプロフィール項目の数より少ない複数の評価対象のプロフィール項目を抽出する構成としてもよい。
【００７７】
また、上記実施の形態では、プロフィール項目読出抽出部１０３が、閲覧対象のユーザの複数のプロフィール項目から、評価対象のプロフィール項目をランダムに抽出する構成としたが、これに限定されるものではない。例えば、評価対象のプロフィール項目を順番に抽出する構成や、問合せ項目評価情報記憶部１１０を参照して、評価情報の数が少ないプロフィール項目を抽出する構成等、他のプロフィール項目抽出方法としてもよい。また、プロフィール項目を順番に抽出する構成や、評価情報の数が少ないプロフィール項目の抽出のように、プロフィール情報における抽出した各プロフィール項目の数を同数又は略同数にするようにプロフィール項目を抽出する構成が好ましい。
【００７８】
また、上記実施の形態では、問合せ欄作成部１０４は、評価者たるユーザからの評価情報の文章の直接入力を受け付ける問合せ欄を作成する構成としたが、これに限定されるものではない。例えば、問合せ欄作成部１０４は、プロフィール項目読出抽出部１０３により抽出された予め設定された複数の評価情報を含み、評価者たるユーザからの前記複数の評価情報から評価情報の選択入力を受け付ける問合せ欄を作成する構成としてもよい。この構成によれば、評価者たるユーザの評価情報の入力負担をさらに低減できる。
【００７９】
また、上記実施の形態におけるプロフィール情報評価支援システム１の各構成要素の細部構成及び細部動作に関しては、本発明の趣旨を逸脱することのない範囲で適宜変更可能であることは勿論である。
【符号の説明】
【００８０】
１  プロフィール情報評価支援システム
１００  プロフィール情報評価支援装置
１０１  プロフィール情報入力受付部
１０２  プロフィール閲覧要求受付部
１０３  プロフィール項目読出抽出部
１０４  問合せ欄作成部
１０５  プロフィール閲覧画面情報作成送信部
１０６  問合せ項目評価情報受付部
１０７  評価情報閲覧要求受付部
１０８  評価情報閲覧画面情報作成送信部
１０  記憶部
１０９  ユーザ情報ＤＢ
１１０  問合せ項目評価情報記憶部
【図１】
0005410409.tif 000002
【図２】
0005410409.tif 000003
【図３】
0005410409.tif 000004
【図４】
0005410409.tif 000005
【図５】
0005410409.tif 000006
【図６】
0005410409.tif 000007
【図７】
0005410409.tif 000008
【図８】
0005410409.tif 000009